(57)【要約】      （修正有）【課題】床暖房パネルの加熱手段からの熱を蓄熱し、この蓄熱した熱を他の領域に送出して用いることができる床暖房パネルを提供すること。【解決手段】下床材に設置されるパネル本体１０と、このパネル本体１０の内部に設けられた加熱手段（温水チューブ２２）と、温水チューブ２２からの熱を蓄熱してパネル本体１０から送出するようにパネル本体１０に設けられた蓄熱搬送手段１４と、を備えた床暖房パネル。蓄熱搬送手段１４は、パネル本体１０の内部に設けられた搬送チューブ４０と、この搬送チューブ４０を通して流れる潜熱蓄熱液体とから構成され、温水チューブ２２を流れる温水からの余熱は、潜熱蓄熱液体に蓄熱される。この床暖房パネルでは、温水チューブ２２は、パネル本体１０の上部（床仕上げ材側）に設けられ、搬送チューブ４０は、パネル本体１０の下部（下床材側）に設けられるのが好ましい。【選択図】図２
2019113205.tif 000002
【特許請求の範囲】
【請求項１】
下床材に設置されるパネル本体と、前記パネル本体の内部に設けられた加熱手段と、前記加熱手段からの熱を蓄熱して前記パネル本体から送出するように前記パネル本体に設けられた蓄熱搬送手段と、を備えることを特徴とする床暖房パネル。
【請求項２】
前記加熱手段は、前記パネル本体の上部に設けられ、前記蓄熱搬送手段は、前記パネル本体の下部に設けられていることを特徴とする請求項１に記載の床暖房パネル。
【請求項３】
前記加熱手段は、前記パネル本体に所定方向に間隔をおいて配置された複数の加熱直線状部を有し、前記蓄熱搬送手段は、前記パネル本体に設けられた搬送チューブと、前記搬送チューブを通して循環される潜熱蓄熱液体とから構成されることを特徴とする請求項２に記載の床暖房パネル。
【請求項４】
前記蓄熱搬送手段の前記搬送チューブは、前記パネル本体に前記所定方向に間隔をおいて配置された複数の搬送直線状部を有し、前記搬送チューブの前記搬送直線状部は、前記加熱手段における相互に隣接する加熱直線状部の中間下方に配設されていることを特徴とする請求項３に記載の床暖房パネル。
【請求項５】
前記潜熱蓄熱液体は、潜熱を蓄熱するための潜熱蓄熱材を内包する潜熱蓄熱カプセルと、前記搬送チューブを通して循環される水とを含み、前記潜熱蓄熱カプセルが前記水に混合されることを特徴とする請求項３に記載の床暖房パネル。
【請求項６】
前記潜熱蓄熱材は、パラフィン系潜熱蓄熱材であることを特徴とする請求項５に記載の床暖房パネル。
【請求項７】
第１室の第１下床材に設置された第１床暖房パネルと、第２室の第２下床材に設置された第２床暖房パネルと、を備え、前記第１床暖房パネルは、第１パネル本体と、前記第１パネル本体の内部に設けられた第１加熱手段と、前記第１加熱手段からの熱を蓄熱して前記第１パネル本体から送出するように前記第１パネル本体に設けられた第１蓄熱搬送手段と、から構成され、前記第２床暖房パネルは、第２パネル本体と、前記第２パネル本体の内部に設けられた第２加熱手段と、前記第２加熱手段からの熱を蓄熱して前記第２パネル本体から送出するように前記第２パネル本体に設けられた第２蓄熱搬送手段と、から構成され、前記第１床暖房パネルの前記第１蓄熱搬送手段と、前記第２床暖房パネルの前記第２蓄熱搬送手段とが相互に接続されていることを特徴とする床暖房システム。
【請求項８】
第１暖房領域の第１下床材に設置された第１床暖房パネルと、第２暖房領域の第２下床材に設置された第２床暖房パネルと、を備え、第１床暖房パネルは、第１パネル本体と、前記第１パネル本体の内部に設けられた第１加熱手段と、前記第１加熱手段からの熱を蓄熱して前記第１パネル本体から送出するように前記第１パネル本体に設けられた第１蓄熱搬送手段と、から構成され、前記第２床暖房パネルは、第２パネル本体と、前記第２パネル本体に設けられた第２蓄熱搬送手段と、から構成され、前記第１床暖房パネルの前記第１蓄熱搬送手段と、前記第２床暖房パネルの前記第２蓄熱搬送手段とが相互に接続されていることを特徴とする床暖房システム。
【発明の詳細な説明】
【技術分野】
【０００１】
本発明は、居間などの居室空間の床を暖めるための床暖房パネル及び床暖房システムに関する。
【背景技術】
【０００２】
居室空間の床を暖めるための床暖房システムとして、例えば温水を利用したものが広く実用に供されている。この床暖房システムでは、温水チューブが配設された床暖房パネルと、床暖房パネルの表面側に配設された床仕上げ材と、床暖房パネルと床仕上げ材との間に配設された蓄熱材とを備えたものが提案されている（例えば、特許文献１参照）。
【０００３】
このような床暖房システムでは、温水チューブの一端側が熱源機の温水供給側に接続され、その他端側が熱源機の温水戻り側に接続され、熱源機からの温水が温水供給流路、床暖房パネルの温水チューブ及び温水戻り流路を通して循環され、温水チューブを通して流れる温水の顕熱が蓄熱材を通して床仕上げ材に伝達され、この温水の熱を利用して床面が暖められる。また、床暖房パネルと床仕上げ材との間に蓄熱材が配設されているので、床暖房システム全体の熱容量が増大し、これにより、温水からの顕熱を効率よく投入することが可能となり、高効率の床暖房システムを提供することができる。
【先行技術文献】
【特許文献】
【０００４】
【特許文献１】特開２０００−２９１９６５号公報
【発明の概要】
【発明が解決しようとする課題】
【０００５】
しかしながら、上述した床暖房システムでは、床暖房パネルと床仕上げ材との間に蓄熱材が配設される構成であるので、この蓄熱材に蓄熱された熱は、床仕上げ材を加熱することしか利用することができない、換言すると床暖房パネルが配設された加熱領域の加熱にしか利用することができないという問題があった。
【０００６】
本発明の目的は、床暖房パネルの加熱手段からの熱を蓄熱し、この蓄熱した熱を他の領域に送出して用いることができる床暖房パネルを提供することである。
【０００７】
また、本発明の他の目的は、第１室（又は第１暖房領域）に配設された第１床暖房パネルの熱を第２室（又は第２暖房領域）に配設された第２床暖房パネルに送出して暖めることができる床暖房システムを提供することである。
【課題を解決するための手段】
【０００８】
本発明の請求項１に記載の床暖房パネルは、下床材に設置されるパネル本体と、前記パネル本体の内部に設けられた加熱手段と、前記加熱手段からの熱を蓄熱して前記パネル本体から送出するように前記パネル本体に設けられた蓄熱搬送手段と、を備えることを特徴とする。
【０００９】
また、本発明の請求項２に記載の床暖房パネルでは、前記加熱手段は、前記パネル本体の上部に設けられ、前記蓄熱搬送手段は、前記パネル本体の下部に設けられていることを特徴とする。
【００１０】
また、本発明の請求項３に記載の床暖房パネルでは、前記加熱手段は、前記パネル本体に所定方向に間隔をおいて配置された複数の加熱直線状部を有し、前記蓄熱搬送手段は、前記パネル本体に設けられた搬送チューブと、前記搬送チューブを通して循環される潜熱蓄熱液体とから構成されることを特徴とする。
【００１１】
また、本発明の請求項４に記載の床暖房パネルでは、前記蓄熱搬送手段の前記搬送チューブは、前記パネル本体に前記所定方向に間隔をおいて配置された複数の搬送直線状部を有し、前記搬送チューブの前記搬送直線状部は、前記加熱手段における相互に隣接する加熱直線状部の中間下方に配設されていることを特徴とする。
【００１２】
また、本発明の請求項５に記載の床暖房パネルでは、前記潜熱蓄熱液体は、潜熱を蓄熱するための潜熱蓄熱材を内包する潜熱蓄熱カプセルと、前記搬送チューブを通して循環される水とを含み、前記潜熱蓄熱カプセルが前記水に混合されることを特徴とする。
【００１３】
また、本発明の請求項６に記載の床暖房パネルでは、前記潜熱蓄熱材は、パラフィン系潜熱蓄熱材であることを特徴とする。
【００１４】
また、本発明の請求項７に記載の床暖房システムは、第１室の第１下床材に設置された第１床暖房パネルと、第２室の第２下床材に設置された第２床暖房パネルと、を備え、前記第１床暖房パネルは、第１パネル本体と、前記第１パネル本体の内部に設けられた第１加熱手段と、前記第１加熱手段からの熱を蓄熱して前記第１パネル本体から送出するように前記第１パネル本体に設けられた第１蓄熱搬送手段と、から構成され、前記第２床暖房パネルは、第２パネル本体と、前記第２パネル本体の内部に設けられた第２加熱手段と、前記第２加熱手段からの熱を蓄熱して前記第２パネル本体から送出するように前記第２パネル本体に設けられた第２蓄熱搬送手段と、から構成され、前記第１床暖房パネルの前記第１蓄熱搬送手段と、前記第２床暖房パネルの前記第２蓄熱搬送手段とが相互に接続されていることを特徴とする。
【００１５】
また、本発明の請求項８に記載の床暖房システムは、第１暖房領域の第１下床材に設置された第１床暖房パネルと、第２暖房領域の第２下床材に設置された第２床暖房パネルと、を備え、第１床暖房パネルは、第１パネル本体と、前記第１パネル本体の内部に設けられた第１加熱手段と、前記第１加熱手段からの熱を蓄熱して前記第１パネル本体から送出するように前記第１パネル本体に設けられた第１蓄熱搬送手段と、から構成され、前記第２床暖房パネルは、第２パネル本体と、前記第２パネル本体に設けられた第２蓄熱搬送手段と、から構成され、前記第１床暖房パネルの前記第１蓄熱搬送手段と、前記第２床暖房パネルの前記第２蓄熱搬送手段とが相互に接続されていることを特徴とする。
【発明の効果】
【００１６】
本発明の請求項１に記載の床暖房パネルによれば、パネル本体に設けられた加熱手段からの熱は暖房用に利用されて床面などの暖房領域が暖房される。また、このときの加熱手段からの熱の一部（例えば、余熱）は、蓄熱搬送手段により蓄熱されてパネル本体から送出されるので、パネル本体を設置した暖房領域だけでなく、他の暖房領域についても蓄熱搬送手段により移送される熱でもって暖房することができ、この床暖房パネルの熱をより有効活用することができる。
【００１７】
また、本発明の請求項２に記載の床暖房パネルによれば、パネル本体の上部に加熱手段が設けられているので、この加熱手段からの熱は上方に効率よく伝わり、暖房領域を効果的に暖房することができる。また、この加熱手段から下方に伝わる熱（例えば、余熱）は、パネル本体の下部に配設された蓄熱搬送手段に蓄熱され、この蓄熱された熱が蓄熱搬送手段によりパネル本体の外部に送出され、他の暖房領域を暖房することができる。
【００１８】
また、本発明の請求項３に記載の床暖房パネルによれば、加熱手段は間隔を置いて配設された複数の加熱直線状部を有しているので、加熱手段からの熱は線状に沿って伝熱され、比較的簡単な構造でパネル本体を加熱することができる。また、蓄熱搬送手段は、搬送チューブとこの搬送チューブを通して循環される潜熱蓄熱液体とから構成されるので、潜熱蓄熱液体に蓄えられた熱を潜熱蓄熱手段の循環によって他の暖房領域に移送して加熱することができる。尚、加熱手段としては、例えば、温水を利用した温水チューブ、電気を利用した電気ヒータなどから構成される。
【００１９】
また、本発明の請求項４に記載の床暖房パネルによれば、搬送チューブの搬送直線状部は、加熱手段における相互に隣接する加熱直線状部の中間下方に配設されているので、加熱手段の隣接する加熱直線状部からの熱（例えば、余熱）が、それらの中間下方に位置する搬送直線状部にほぼ均一に伝達され、これにより、パネル本体全体における熱の蓄熱をより均一に行なうことができ、その結果、床暖房パネル全体の温度の均一化を図ることができる。
【００２０】
また、本発明の請求項５に記載の床暖房パネルによれば、潜熱蓄熱液体は、潜熱蓄熱材を内包する潜熱蓄熱カプセルと、この搬送チューブを通して循環される水から構成されているので、この水を循環させることにより、これともに潜熱蓄熱カプセルを循環させることができるとともに、この循環の際の搬送チューブ全体の流動抵抗を低減することができる。また、潜熱蓄熱材が潜熱蓄熱カプセルに内包されているので、潜熱蓄熱材として相変化が起きる材料を用いたとしても潜熱蓄熱カプセル自体に相変化は無く、搬送チューブ内面への固着が生じることもない。
【００２１】
また、本発明の請求項６に記載の床暖房パネルによれば、潜熱蓄熱材としてパラフィン系潜熱蓄熱材を用いているので、この潜熱蓄熱材は２０〜４０℃付近で相変化し、この相変化により加熱手段からの熱（例えば、余熱）をより多く蓄熱することができる。また、この潜熱蓄熱材が他の暖房領域に移送されて放熱される際には、潜熱蓄熱材の相変化によって潜熱蓄熱材からより多くの熱量を放出することができ、この他の暖房領域を効率よく暖房することができる。
【００２２】
また、本発明の請求項７に記載の床暖房システムによれば、第１室の第１下床材に第１床暖房パネルが設置され、第２室の第２下床材に第２床暖房パネルが設置される。そして、第１床暖房パネルは、第１パネル本体と、第１パネル本体内に設けられた第１加熱手段及び第１蓄熱搬送手段とを備え、また第２床暖房パネルは、第２パネル本体と、第２パネル本体内に設けられた第２加熱手段及び第２蓄熱搬送手段とを備え、第１蓄熱搬送手段と第２蓄熱搬送手段とが相互に接続されているので、例えば、第１加熱手段により第１室の床を暖房するときには、この第１加熱手段からの熱が第１蓄熱搬送手段に蓄熱され、この蓄熱された熱は第１蓄熱移送手段から第２蓄熱搬送手段に移送することができ、この蓄熱移送された熱でもって第２室の床を暖房することができる。また、例えば、第２加熱手段により第２室の床を暖房するときには、この第２加熱手段からの熱が第２蓄熱搬送手段に蓄熱され、この蓄熱された熱は第２蓄熱搬送手段から第１蓄熱搬送手段に移送することができ、この蓄熱移送された熱でもって第１室の床を暖房することができる。
【００２３】
更に、本発明の請求項８に記載の床暖房システムによれば、第１暖房領域の第１下床材に第１床暖房パネルが設置され、第２暖房領域の第２下床材に第２床暖房パネルが設置される。そして、第１床暖房パネルは、第１パネル本体と、第１パネル本体内に設けられた第１加熱手段及び第１蓄熱搬送手段とを備え、また第２床暖房パネルは、第２パネル本体と、第２パネル本体内に設けられた第２蓄熱搬送手段とを備え、第１蓄熱搬送手段と第２蓄熱搬送手段とが相互に接続されているので、例えば、第１加熱手段により第１暖房領域を暖房するときには、この第１加熱手段からの熱（例えば、余熱）が第１蓄熱搬送手段に蓄熱され、この蓄熱された熱を第１蓄熱搬送手段から第２蓄熱搬送手段に移送することができ、この蓄熱移送された熱でもって第２暖房領域の床を暖房することができ、かくして、第２床暖房パネルに加熱手段を設けることなく、第１床暖房パネルの第１加熱手段からの熱を利用して第２暖房領域を暖房することができる。
【図面の簡単な説明】
【００２４】
【図１】本発明に従う床暖房システムの第１の実施形態を簡略的に示す全体図。
【図２】図１におけるＩＩ−ＩＩ線による断面図。
【図３】図１の床暖房システムの床暖房パネル及びそれに関連する構成の一部を拡大して示す部分拡大断面図。
【図４】本発明に従う床暖房システムの第２の実施形態を簡略的に示す全体図。
【図５】本発明に従う床暖房システムの第３の実施形態を簡略的に示す全体図。
【発明を実施するための形態】
【００２５】
以下、添付図面を参照して、本発明に従う床暖房システム（床暖房パネル）の各種実施形態について説明する。まず、図１〜図３を参照して、本発明に従う床暖房装置の第１の実施形態について説明する。
【００２６】
図１において、この第１の実施形態の床暖房システムは、第１暖房領域としての第１室２の床面に設置される第１床暖房パネル４と、第２暖房領域としての第２室６の床面に設置される第２床暖房パネル８とを備え、第１及び第２床暖房パネル４，８が本発明に従う床暖房パネルを構成し、例えば、第１及び第２室２，６は、例えば、戸建て住宅の部屋、マンションの部屋などである。
【００２７】
第１床暖房パネル６は、第１パネル本体１０を備え、この第１パネル本体１０に第１加熱手段１２及び第１蓄熱搬送手段１４が設けられ、また第２床暖房パネル８は、第２パネル本体１６を備え、この第２パネル本体１６に第２加熱手段１８及び第２蓄熱搬送手段２０が設けられ、第１床暖房パネル４の第１蓄熱搬送手段１４と第２床暖房パネル８の第２蓄熱搬送手段２０とは相互に接続されている。
【００２８】
この実施形態では、第１及び第２床暖房パネル４，８は、温水を利用した床暖房パネルから構成され、第１及び第２パネル本体１０，１６には、第１及び第２加熱手段１２，１８としての第１及び第２温水チューブ２２，２４が配設され、第１及び第２温水チューブ２２，２４は、例えば合成樹脂製チューブ（例えば、架橋ポリエチレンなどから形成される）から構成される。第１及び第２床暖房パネル４，８に関連して、温水を生成するための熱源機２６が設けられ、この熱源機２６の第１温水供給系２８からの温水が第１床暖房パネル４に供給され、その第２温水供給系３０からの温水が第２床暖房パネル８に供給される。
【００２９】
第１床暖房パネル４の第１温水チューブ２２の一端側は、第１供給流路３２を介して熱源機２６の第１温水供給系２８の供給側に接続され、その他端側は、第１戻り流路３４を介してこの第１温水供給系２８の戻り側に接続されており、従って、熱源機２６の第１温水供給系２８からの温水は、第１供給流路３２、第１床暖房パネル４の第１温水チューブ２２及び第１戻り流路３４を通して循環される。また、第２床暖房パネル８の第２温水チューブ２４の一端側は、第２供給流路３６を介して熱源機２６の第２温水供給系３０の供給側に接続され、その他端側は、第２戻り流路３８を介してこの第２温水供給系３０の戻り側に接続されており、従って、熱源機２６の第２温水供給系３０からの温水は、第２供給流路３６、第２床暖房パネル２の第２温水チューブ２４及び第２戻り流路３８を通して循環される。
【００３０】
また、第１及び第２蓄熱搬送手段１４，１８は、第１及び第２パネル本体１０，１６に設けられた第１及び第２搬送チューブ４０，４２と、第１及び第２搬送チューブ４０，４２を通して循環される潜熱蓄熱液体（図示せず）とから構成され、第１及び第２搬送チューブ４０，４２は、例えば合成樹脂製チューブ（例えば、架橋ポリエチレンなどから形成される）から構成される。そして、このことに関連して、更に、潜熱蓄熱液体を循環させるための循環ポンプ４４が設けられている。この形態では、第１床暖房パネル４の第１搬送チューブ４０の下流側と第２床暖房パネル８の第２搬送チューブ４２の上流側とが第１移送流路４６をして接続され、この第２搬送チューブ４２の下流側と第１搬送チューブ４０の上流側とが第２移送流路４８を介して接続され、第２移送流路４８に循環ポンプ４４が配設されている。従って、循環ポンプ４４が作動すると、潜熱蓄熱液体が第１蓄熱搬送手段１４の第１搬送チューブ４０、第１移送流路４６、第２蓄熱搬送手段１８の第２搬送チューブ４２及び第２移送流路４８を通して循環される。尚、この循環ポンプ４４は、第２移送流路４８に代えて、第１移送流路４６に配設するようにしてもよい。
【００３１】
この潜熱蓄熱液体としては、潜熱を蓄熱するための潜熱蓄熱材を内包する潜熱蓄熱カプセル（図示せず）（例えば、アクリル樹脂などから形成される）と、第１及び第２蓄熱搬送手段１４，１８の第１及び第２搬送チューブ４０，４２を通して循環される水とを含み、この水に潜熱蓄熱カプセルが混合される。また、潜熱蓄熱材としては、パラフィン系潜熱蓄熱材を用いるのが好ましく、この潜熱パラフィン系潜熱蓄熱材は、２０〜４０℃付近で固相から液相に相変化し、このように相変化することにより、より多くの熱を蓄熱することができる。尚、この潜熱蓄熱材の相変化温度は、暖房用の熱を蓄熱して移送する場合に３０〜４０℃であるのが好ましい。
【００３２】
次に、図１とともに図２及び図３を参照して、第１及び第２床暖房パネル４，８について説明する。第１及び第２床暖房パネル４，８は、実質上同一の構成であり、以下、第１床暖房パネル４（第２床暖房パネル８）及びその設置構造について説明する。
【００３３】
この実施形態では、第１床暖房パネル４（第２床暖房パネル８）の第１パネル本体１０（第２パネル本体１６）は、例えば発泡樹脂などから構成され、その表面側（即ち、上部側）に第１加熱手段１２（第２加熱手段１８）が配設され、その裏面側（即ち、下部側）に第１潜熱搬送手段１４（第２潜熱搬送手段２０）が配設されている。
【００３４】
この実施形態では、第１パネル本体１０（第２パネル本体１６）の表面には、第１温水チューブ収容凹部５０（第２温水チューブ収容凹部５２）が設けられ、かかる第１温水チューブ収容凹部５０（第２温水チューブ収容凹部５２）に第１加熱手段１２（第２加熱手段１８）としての第１温水チューブ２２（第２温水チューブ２４）が収容されている。この第１温水チューブ収容凹部５０（第２温水チューブ収容凹部５２）は、第１温水チューブ２２（第２温水チューブ２４）の形状に対応した形状に形成されている。
【００３５】
第１温水チューブ２２（第２温水チューブ２４）は、図２に示すように、所定方向（図１〜図３において左右向）に間隔をおいて実質上平行に配設された加熱直線状部５４と、隣接する加熱直線状部５４の端部を接続する加熱Ｕ字状部５６とを有し、第１床暖房パネル４（第２床暖房パネル８）に送給された温水は、第１温水チューブ２２（第２温水チューブ２４）の加熱直線状部５４及び加熱Ｕ字状部５６を通して第１パネル本体１０（第２パネル本体１６）のほぼ全域を流れる。このことに関連して、第１温水チューブ収容凹部５０（第２温水チューブ収容凹部５２）は、図示していないが、第１温水チューブ２２（第２温水チューブ２４）の加熱直線状部５４を収容する加熱直線状部収容凹部と、その加熱Ｕ字状部５６を収容する加熱Ｕ字状部収容凹部とを有している。
【００３６】
この実施形態では、第１床暖房パネル４（第２床暖房パネル８）の第１パネル本体１０（第２パネル本体１６）の裏面側（即ち、下部側）に第１潜熱搬送手段１４（第２潜熱搬送手段２０）が配設されている。第１パネル本体１０（第２パネル本体１６）の裏面には、第１搬送チューブ収容凹部５８（第２搬送チューブ収容凹部６０）が設けられ、かかる第１搬送チューブ収容凹部５８（第２搬送チューブ収容凹部６０）に第１蓄熱搬送手段１４（第２蓄熱搬送手段２０）の第１搬送チューブ４０（第２搬送チューブ４２）が収容されている。この第１搬送チューブ収容凹部５８（第２搬送チューブ収容凹部６０）は、第１搬送チューブ４０（第２搬送チューブ４２）の形状に対応した形状に形成されている。
【００３７】
第１搬送チューブ４０（第２搬送チューブ４２）は、図２に破線で示すように、所定方向（図１〜図３において左右向）に間隔をおいて実質上平行に配設された搬送直線状部６２と、隣接する搬送直線状部６２の端部を接続する搬送Ｕ字状部６４とを有し、第１床暖房パネル４（第２床暖房パネル８）においては、第１温水チューブ２２（第２温水チューブ２４）を流れる温水と同様に、潜熱蓄熱液体は、第１搬送チューブ４０（第２搬送チューブ４２）の搬送直線状部６２及び搬送Ｕ字状部６４を通して第１パネル本体１０（第２パネル本体１６）のほぼ全域を流れる。このことに関連して、第１搬送チューブ収容凹部５８（第２搬送チューブ収容凹部６０）は、図示していないが、第１搬送チューブ４０（第２搬送チューブ４２）の搬送直線状部６２を収容する搬送直線状部収容凹部と、その搬送Ｕ字状部６４を収容する搬送Ｕ字状部収容凹部とを有している。
【００３８】
第１床暖房パネル４（第２床暖房パネル８）の第１温水チューブ２２（第２温水チューブ２４）と第１搬送チューブ４０（第２搬送チューブ４２）とは、次のように配設するのが好ましい。即ち、第１搬送チューブ４０（第２搬送チューブ４２）の搬送直線状部６２は、第１温水チューブ２２（第２温水チューブ２４）の隣接する加熱直線状部５４の中間下方（具体的には、それらから実質上中央下方）に配置されるのが好ましく、このように構成することにより、隣接する加熱直線状部５４からの余熱が、それらの中間下方に位置する搬送直線状部６２にほぼ均一に伝達され、これにより、第１パネル本体１０（第２パネル本体１６）全体における蓄熱をより均一に行なうことができる。
【００３９】
このような第１床暖房パネル４（第２床暖房用パネル８）は、図３に示すようにして設置される。第１室２（第２室６）の床構造は、所定の間隔をおいて配設された第１根太７０（第２根太７１）を備え、この第１根太７０（第２根太７１）に第１下床材７２（第２下床材７３）が載置され、この第１下床材７２（第２下床材７３）の表面側（上面側）に第１床暖房パネル４（第２床暖房パネル８）が設置される。尚、この第１下床材７２（第２下床材７３）の下側には床下断熱材７４（例えば、アクリル樹脂などから形成される）が配設される。そして、設置された第１床暖房パネル４（第２床暖房パネル８）の表面側（上面側）に均熱部材７６（例えば、均熱シート又は均熱プレート）が配設され、この均熱部材７６の表面側（上面側）に第１床仕上げ材７８（第２床仕上げ材７９）が配設され、このようにして床面が仕上げられる。
【００４０】
この形態では、第１温水チューブ２２（第２温水チューブ２４）はＵ字状均熱部材８０で覆われており、第１温水チューブ２２（第２温水チューブ２４）からの熱の一部は、均熱部材７６に直接的に伝達されるとともに、その残部はＵ字状均熱部材８０を介して均熱部材７６に伝達され、この均熱部材７６を介して第１床仕上げ材に７８（第２床仕上げ材７９）に伝達される。尚、均熱部材７８及びＵ字状均熱部材８０としては、例えばアルミニウム箔などを用いることができる。
【００４１】
この床暖房システムでは、第１室２（第２室６）の床を暖房するときには、熱源機２６の第１温水供給系２８（第２温水供給系３０）からの温水が第１床暖房パネル４（第２床暖房パネル８）に供給される。即ち、熱源機２６の第１温水供給系２８（第２温水供給系３０）からの温水が第１供給流路３２（第２供給流路３６）、第１床暖房パネル４（第２床暖房パネル８）の第１温水チューブ２２（第２温水チューブ２４）及び第１戻り流路３４（第２戻り流路３８）を通して循環される。
【００４２】
そして、この温水が第１温水チューブ２２（第２温水チューブ２４）を流れる間に、この温水からの熱の一部が均熱部材７６（及びＵ字状均熱部材８０）を介して第１床仕上げ部材７８（第２床仕上げ材７９）に伝達され、このように伝達される熱によって第１床仕上げ材７８（第２床仕上げ材）の表面が暖房される。また、この温水からの熱の残部は、第１パネル本体１０（第２パネル本体１６）を介して第１蓄熱搬送手段１４（第２蓄熱搬送手段１８）に伝達され、その第１搬送チューブ４０（第２搬送チューブ４２）を介して潜熱蓄熱液体に蓄熱される。この潜熱の蓄熱は、水及び潜熱蓄熱材に蓄熱され、特に潜熱蓄熱材が第１温水チューブ２２（第２温水チューブ２４）からの熱を蓄熱する際に固相から液相に変化し、この相変化によって多くの潜熱を蓄熱することができる。
【００４３】
また、第１室２（又は第２室６）の床を暖房しながらその熱を利用して第２室６（又は第１室２）を暖房するときには、上述したように、熱源機２６の第１温水供給系２８（又は第２温水供給系３０）からの温水を第１床暖房パネル４（又は第２床暖房パネル８）に供給し、この温水供給状態において、循環ポンプ４４を作動させればよい。
【００４４】
循環ポンプ４４を作動させると、潜熱蓄熱液体が第１床暖房パネル４（又は第２床暖房パネル８）の第１搬送チューブ４０（又は第２搬送チューブ４２）、第１移送流路４６（又は第２移送流路４８）、第２床暖房パネル８（又は第１床暖房パネル４）の第２搬送チューブ４２（又は第１搬送チューブ４０）及び第２移送流路４８（又は第１移送流路４６）を通して循環される。
【００４５】
このとき、潜熱蓄熱液体が第１床暖房パネル４（又は第２床暖房パネル８）を通して流れる間においては、第１温水チューブ２２（又は第２温水チューブ２４）を流れる温水からの熱が潜熱蓄熱液体に蓄熱され（この蓄熱の際に、潜熱蓄熱材は固相から液相に相変化する）、またこの蓄熱された潜熱蓄熱液体が第２床暖房パネル８（又は第１床暖房パネル４）を通して流れる間においては、潜熱蓄熱液体に蓄熱された潜熱が放出され（この放熱の際に、潜熱蓄熱材は液相から固相に相変化する）、この放熱された熱が第２パネル本体１６（又は第１パネル本体１０）、Ｕ字状均熱部材８０及び均熱部材７６を介して第２床仕上げ材７９（又は第１床仕上げ部材７８）に伝達され、これによって、潜熱蓄熱液体に蓄熱された潜熱を利用して第２室６（又は第１室２）の床を暖房することができる。
【００４６】
第１室２（又は第２室６）の床の熱を利用して第２室６（又は第１室２）の床を暖房するには、必ずしも熱源機２６を作動させてこの熱源機２６からの温水を第１床暖房パネル４（又は第２床暖房パネル８）に供給する必要はなく、熱源機２６を作動停止させた状態でもって循環ポンプ４４を作動させ、第１床暖房パネル４（又は第２床暖房パネル８）に残った熱（所謂、余熱）を第２床暖房パネル８（又は第１床暖房パネル４）移送し、この移送した余熱でもって第２床暖房パネル８（又は第１床暖房パネル４）を暖房するようにしてもよい。
【００４７】
次に、図４を参照して、本発明に従う床暖房システムの第２の実施形態について説明する。尚、この第２の実施形態において、上述した第１の実施形態と実質上同一の構成のものには同一の参照番号を付し、その説明を省略する。
【００４８】
この第２の実施形態においては、第１暖房領域としての第１室１０２の第１下床材（図示せず）に第１床暖房パネル１０４が配設され、第２暖房領域としての第２室１０６の第２下床材（図示せず）に第２床暖房パネル１０８が配設され、第３暖房領域としての第３室１１０の第３下床材）（図示せず）に第３床暖房パネル１１２が配設されている。第１〜第３床暖房パネル１０４，１０８，１１２は実質上同一の構成で、上述した第１の実施形態における第１及び第２床暖房パネル４，８と実質上同様の構成であり、従って、第１〜第３床暖房パネル１０４，１０８，１１２の構成の詳細な説明は省略する。
【００４９】
この第２の実施形態では、熱源機２６Ａは、３つの温水供給系、即ち第１温水供給系２８、第２温水供給系３０及び第３温水供給系３１を備え、第１床暖房パネル１０４の第１温水チューブ２２の一端側が第１供給流路３２を介して第１温水供給系２８の供給側に接続され、その他端側が第１戻り流路３４を介して第１温水供給系２８の戻り側に接続されている。また、第２床暖房パネル１０８（第３の床暖房パネル１１２）の第２温水チューブ２４（第３温水チューブ２５）の一端側が第２供給流路３６（第３供給流路３７）を介して第２温水供給系３０（第３温水供給系３１）の供給側に接続され、その他端側が第２戻り流路３８（第３戻り流路３９）を介して第２温水供給系３０（第３温水供給系３１）の戻り側に接続されている。
【００５０】
また、第１床暖房パネル１０４の第１搬送チューブ４０の一端側（例えば、下流側）に第１移送流路４６Ａが接続され、この第１移送流路４６Ａは二つに分岐され、一方の第１分岐流路１２０が第２床暖房パネル１０８の第２蓄熱搬送手段２０の第２搬送チューブ４２の一端側（例えば、上流側）に接続され、この第１分岐流路１２０に第１開閉弁１２２が配設されている。また、他方の第２分岐流路１２４は第３床暖房パネル１１２の第３蓄熱搬送手段２１の第３搬送チューブ４３の一端側（例えば、上流側）に接続され、この第２分岐流路１２４に第２開閉弁１２６が配設される。尚、第１及び第２開閉弁１２２，１２６は、例えば、電気的に開閉制御される電磁開閉弁などから構成される。
【００５１】
また、この第１搬送チューブ４０の他端側（例えば、上流側）に第２移送流路４８Ａが接続され、この第２移送流路４８Ａは二つに分岐され、その一方の第３分岐流路１２８が第２床暖房パネル１０８の第２搬送チューブ４２の他端側（例えば、下流側）に接続され、その他方の第４分岐流路１３０が第３床暖房パネル１１２の第３搬送チューブ４３の他端側（例えば、下流側）に接続され、第１の実施形態と同様に、第２移送流路４８Ａに循環ポンプ４４が配設されている。尚、この循環ポンプ４４は、第１移送流路４６Ａに配設するようにしてもよい。この第２の実施形態におけるその他の構成は、上述した第１の実施形態と実質上同一でよい。
【００５２】
この第２の実施形態においては、上述した記載から理解されるように、熱源機２６Ａの第１温水供給系２８（第２温水供給系３０、第３温水供給系３１）からの温水を第１床暖房パネル１０４（第２床暖房パネル１０８、第３床暖房パネル１１２）の第１温水チューブ２２（第２温水チューブ２４、第３温水チューブ２５）を通して循環させることにより、第１室１０２（第２室１０６、第３室１１０）の床を暖房することができ、このときの第１温水チューブ２２（第２温水チューブ２４、第３温水チューブ２５）を流れる温水からの熱は、第１床暖房パネル１０４（第２床暖房パネル１０８、第３床暖房パネル１１２）の第１蓄熱搬送手段１４（第２蓄熱搬送手段１８、第３蓄熱搬送手段１９）の潜熱蓄熱液体に蓄熱される。
【００５３】
また、例えば、第１室１０２の暖房余熱、即ち第１蓄熱搬送手段１４の潜熱蓄熱液体に蓄熱された熱を利用して第２室１０６（及び／又は第３室１１０）の床を暖房するには、第１開閉弁１２２（及び／又は第２開閉弁１２６）を開状態にするとともに、循環ポンプ４４を作動させればよい。第１開閉弁１２２（及び／又は第２開閉弁１２６）を開状態にして循環ポンプ４４を作動させると、第１床暖房パネル１０４における第１蓄熱搬送手段１４の潜熱蓄熱液体が第１移送流路４６Ａ及び第１分岐流路１２０（及び／又は第２分岐流路１２４）を通し、第２床暖房パネル１０６（及び／又は第３床暖房パネル１１０）の第２蓄熱搬送手段１８（及び／又は第３蓄熱搬送手段１９）の第２搬送チューブ４２（及び／又は第３搬送チューブ４３）を通して循環され、この第２搬送チューブ４２（及び／又は第３搬送チューブ４３）を流れる潜熱蓄熱液体からの潜熱によって、第２室１０６（及び／又は第３室１１０）の床を暖房することができる。
【００５４】
次に、図５を参照して、本発明に従う床暖房システムの第３の実施形態について説明する。図５において、この第３の実施形態においては、第１室２の床面に設置される第１床暖房パネル４は、第１の実施形態と同様に、第１加熱手段１２（第１温水チューブ２２）及び第１蓄熱搬送手段１４（第１搬送チューブ４０）を備えており、また第２室６の床面に設置される第２床暖房パネル８Ｂは、第２蓄熱搬送手段２０（第２搬送チューブ４２）を備えているが、第２加熱手段（第２温水チューブ）は設けられていない。
【００５５】
具体的に説明すると、熱源機２６Ｂには一つの温水供給系、即ち第１温水供給系２８しか存在せず、第１床暖房パネル４の第１温水チューブ２２の一端側は、第１供給流路３２を介して第１温水供給系２８の供給側に接続され、その他端側は、第１戻り流路３４を介して第１温水供給系２８の戻り側に接続されている。また、第１床暖房パネル４の第１蓄熱搬送手段１４の第１搬送チューブ４０の下流側と第２床暖房パネル８Ｂの第２蓄熱搬送手段２０の第２搬送チューブ４２の上流側とが第１移送流路４６を介して接続され、更に第２蓄熱搬送手段２０の第２搬送チューブ４２の下流側と第１蓄熱搬送手段１４の第１搬送チューブ４０の上流側とが第２移送流路４８を介して接続され、この第２移送流路４８に循環ポンプ４４が配設されている。尚、この第３の実施形態の床暖房システムのその他の構成は、上述した第１の実施形態と実質上同一である。
【００５６】
この第３の実施形態の床暖房システムでは、上述した記載から理解されるように、熱源機２６Ｂからの温水が第１温水供給系２８から第１床暖房パネル４の第１温水チューブ２２を通して循環されることにより、この第１床暖房パネル４が暖められて第１室２の床が暖房され、このとき、第１温水チューブ２２を流れる温水からの熱は、第１蓄熱搬送手段１４の蓄熱搬送液体に蓄熱される。
【００５７】
そして、例えばこのような第１室２の床の暖房状態において循環ポンプ４４が作動されると、第１床暖房パネル４にて蓄熱された蓄熱搬送液体が第１移送流路４６、第２床暖房パネル８Ｂの第２搬送チューブ４２及び第２移送流路４８を通して循環され、この第２搬送チューブ４２を通して流れる間に、蓄熱搬送液体に蓄熱された熱が放出され、この放熱された熱でもって第２室６の床を暖房することができる。このような暖房は、第１室２の暖房状態を停止させた後に循環ポンプ４４を作動させて行うことによしてもよく、この場合、第１室２の床の余熱を利用して第２室６の床を暖房することができる。
【００５８】
以上、本発明に従う床暖房パネル及び床暖房システムの各種実施形態について説明したが、本発明はこれらの実施形態に限定されず、本発明の範囲を逸脱することなく種々の変形乃至修正が可能である。
【００５９】
例えば、上述した実施形態では、加熱手段（第１加熱手段１２、第２加熱手段１８、第３加熱手段１９）として温水が流れる温水チューブ（第１温水チューブ２２，第２温水チューブ２４，第３温水チューブ２５）を用いているが、このような構成に限定されず、この加熱手段として電気により加熱する電気ヒータを用いるようにしてもよい。
【００６０】
また、例えば、上述した実施形態では、例えば、第１及び第２暖房領域は、建造物（例えば、戸建て住宅、マンションなど）の異なる部屋に適用して説明したが、これらの暖房領域は、例えば同じ部屋の２つの領域であってもよく、この場合、同じ部屋の一方の暖房領域（第１暖房領域）を暖房し、この暖房による余熱を利用して同じ部屋の異なる暖房領域（第２暖房領域）を暖房するようになる。
【符号の説明】
【００６１】
４，１０４  第１床暖房パネル
８，８Ｂ，１０８  第２床暖房パネル
１１２  第３床暖房パネル
１０，１６  パネル本体
１２，１８，１９  加熱手段
１４，２０，２１  蓄熱搬送手段
２２，２４，２５  温水チューブ
２６，２６Ａ，２６Ｂ  熱源機
４０，４２，４３  搬送チューブ
４６  第１移送流路
４８，４８Ａ  第２移送流路
７２，７３  下床材
７８，７９  床仕上げ材
【図１】
2019113205.tif 000003
【図２】
2019113205.tif 000004
【図３】
2019113205.tif 000005
【図４】
2019113205.tif 000006
【図５】
2019113205.tif 000007